Podtech/llm-jp-corpus-v4-ja_patent huggingface dataset:
(57)【要約】      （修正有）【課題】１本のモップで乾式と水拭きの掃除をすることができる平面雑巾付きモップを提供する。【解決手段】水拭き雑巾３モップにおける枝付き方向の平面板２にフック面マジックテープ（登録商標）１を設け、フローリング用シートで雑巾を包みこんで、このマジックテープ（登録商標）１にフックさせることにより、１本のモップで乾式と水拭きの掃除をすることができるという利便性がある。【選択図】図１
0003144650.tif 000002
【実用新案登録請求の範囲】
【請求項１】
水拭き平面雑巾付きモップにおいて、雑巾が装着された平面板の杖が付いた側に、マジックテープ（登録商標）を設けたことにより、フローリング用ワイパーシートを装着できることを特徴とするモップ。
（１）
【考案の詳細な説明】
【技術分野】
【０００１】
本考案は、モップに関するものである。
【背景技術】
【０００２】
モップには、水拭き用平面雑巾モップと化学雑巾モップがあり、通常2本のモップが必要である。
【考案の開示】
【考案が解決しようとする課題】
【０００３】
従来のフローリングのモップがけでは、化学式モップだけでは落ちない汚れがあり、水拭きをする雑巾が必要であったが、水拭き用平面雑巾モップにフローリング用ワイパーシートを装着できるモップにより、前述の問題点を解決しようとするものである。
【課題を解決するための手段】
【０００４】
本考案は、水拭き平面雑巾モップにおいて、水拭き平面雑巾が装着された平面板の杖が付いた側にフック側マジックテープ（登録商標）を設けたことにより、このマジックテープ（登録商標）にフローリング用ワイパーシートが装着されることで問題点を解決している。
【考案の効果】
【０００５】
上述のように、水拭き平面雑巾（３）モップにおける枝付き側の平面板（２）にフック側マジックテープ（登録商標）（１）を設け、フローリング用シートで雑巾を包みこんで、このマジックテープ（登録商標）（１）にフックさせることにより、1本のモップで乾式と水拭きの掃除をすることができる。
（２）
【考案を実施するための最良の形態】
【０００６】
水拭き平面雑巾を取り外すことの出来るモップにおいて、雑巾が装着された平面板の枝が付いた側にフローリング用ワイパーシートが脱着可能なフック側マジックテープ（登録商標）を設けるのが望ましい。
【実施例】
【０００７】
以下、添付図面に従って一実施例を説明する。モップを構成する平面板（２）に対して、フローリング用ワイパーシートが脱着可能なフック側マジックテープ（登録商標）（１）を設けている。
【図面の簡単な説明】
【０００８】
【図１】本フローリング用ワイパーシートを装着できる水拭き平面雑巾モップの斜視図である。
【符号の説明】
【０００９】
１  フック側マジックテープ（登録商標）
２  平面板
３  水拭き平面雑巾
【図１】
0003144650.tif 000003
(57)【要約】      （修正有）【課題】食材をおろした後の、余分な汁を分ける手間を無くす事が出来、単純で効率の良いおろし器を提供する。【解決手段】おろし金の下に、水切りメッシュ付き容器を重ね、軸旋回結合部を、片側だけに設けて、開閉出来る様にする事で、おろし金と水切りメッシュ付き容器を一体化させ、面倒を省き、作業を単純にする。【選択図】図１
0003144669.tif 000002
【実用新案登録請求の範囲】
【請求項１】
本考案は、おろし金と、底部に、水切りメッシュを設けた容器からなる、おろし器で、軸旋回結合部を片側に設け、開閉して、作業する単純な構造で出来ている。
【考案の詳細な説明】
【技術分野】
【０００１】
本考案は、おろし金と、水切りメッシュ付き容器から成り、軸旋回結合部を片側に設けた、おろし器に関するものである。
【背景技術】
【０００２】
おろした食材の、余分な汁を、手やガーゼで絞っていた為に、手間もかかり、面倒であった。
【考案の開示】
【考案が解決しようとする課題】
【０００３】
おろした後の、余分な汁を絞る作業を無くす事により、前述の欠点を解決しようとするものである。
【課題を解決するための手段】
【０００４】
おろし金と、水切りメッシュ付き容器とを開閉できる様にし、おろし金を、閉じた状態で食材をおろし、おろした後は、おろし金を開いて、水切りメッシュ付き容器に溜まった食材を取り出す。水切りメッシュ付き容器を設ける事で、おろした食材と、余分な汁が手間無く分けられるので、面倒も無く、時間と労力の問題点を解決している。
【考案の効果】
【０００５】
上述の様に、本考案のおろし器は、水切りメッシュ付き容器を加えた事で、おろし金を開閉するだけで、簡単に、おろし終えた食材を取り出せ、また、余分な汁を、手やガーゼで絞る必要も無く、作業の手間を省く為にも役立つ。
【考案を実施するための最良の形態】
【０００６】
おろし金には持ち手を設け、おろし金の下に、水切りメッシュ付き容器を重ね、片側を、開閉出来る様に軸旋回結合させる。
【実施例】
【０００７】
おろし金を、閉じた状態で食材をおろし、おろし終えたら、おろし金を開いて、水切りメッシュ付き容器に溜まった食材を取り出す。この時点で、すでに余分な汁が下に落ちているので、無駄な労力と、手間をかけずにすむ。
【図面の簡単な説明】
【０００８】
【図１】本考案のおろし器を、開いた状態を示す斜視図である。
【図２】本考案のおろし器を、閉じた状態を示す正面図である。
【図１】
0003144669.tif 000003
【図２】
0003144669.tif 000004
【手続補正書】
【提出日】平成20年7月9日(2008.7.9)
【手続補正１】
【補正対象書類名】実用新案登録請求の範囲
【補正対象項目名】全文
【補正方法】変更
【補正の内容】
【実用新案登録請求の範囲】
【請求項１】
おろし金と、底部に、水切りメッシュを設けた容器とからなる、おろし器であって、前記おろし金と、前記容器とを、回動自在に結合する軸回動結合部を、前記おろし金及び、前記容器の一辺に、設けたことを特徴とするおろし器。
【手続補正２】
【補正対象書類名】明細書
【補正対象項目名】全文
【補正方法】変更
【補正の内容】
【考案の詳細な説明】
【技術分野】
【０００１】
本考案は、おろし金２と、水切りメッシュ４付き容器３から成り、軸回動結合部５を一辺に設けた、おろし器１に関するものである。
【背景技術】
【０００２】
おろした食材の、余分な汁を、手やガーゼで絞っていた為に、手間もかかり、面倒であった。
【考案の開示】
【考案が解決しようとする課題】
【０００３】
おろした後の、余分な汁を絞る作業を無くす事により、前述の欠点を解決しようとするものである。
【課題を解決するための手段】
【０００４】
おろし金と、水切りメッシュ付き容器とを開閉できる様にし、おろし金を、閉じた状態で食材をおろし、おろした後は、おろし金を開いて、水切りメッシュ付き容器に溜まった食材を取り出す。水切りメッシュ付き容器を設ける事で、おろした食材と、余分な汁が手間無く分けられるので、面倒も無く、時間と労力の問題点を解決している。
【考案の効果】
【０００５】
上述の様に、本考案のおろし器は、水切りメッシュ付き容器を加えた事で、おろし金を開閉するだけで、簡単に、おろし終えた食材を取り出せ、また、余分な汁を、手やガーゼで絞る必要も無く、作業の手間を省く為にも役立つ。
【考案を実施するための最良の形態】
【０００６】
おろし金２には持ち手２ａを設け、おろし金２の下に、水切りメッシュ４付き容器
３を重ね、一辺を開閉出来る様に、軸回動結合５させる。
【実施例】
【０００７】
おろし金を、閉じた状態で食材をおろし、おろし終えたら、おろし金を開いて、水切りメッシュ付き容器に溜まった食材を取り出す。この時点で、すでに余分な汁が下に落ちているので、無駄な労力と、手間をかけずにすむ。
【図面の簡単な説明】
【０００８】
【図１】本考案のおろし器を、開いた状態を示す斜視図である。
【図２】本考案のおろし器を、閉じた状態を示す正面図である。
【符号の説明】
【０００９】
１  おろし器
２  おろし金
２ａ持ち手
３  容器
４  水切りメッシュ
５  軸回動結合部
【手続補正３】
【補正対象書類名】図面
【補正対象項目名】図１
【補正方法】変更
【補正の内容】
【図１】
0003144669.tif 000005
【手続補正４】
【補正対象書類名】図面
【補正対象項目名】図２
【補正方法】変更
【補正の内容】
【図２】
0003144669.tif 000006
(57)【要約】      （修正有）【課題】診断用Ｘ線画像撮影の際の位置決めを容易にし、より短時間で正確な診断用Ｘ線画像撮影を行うことが可能な散乱Ｘ線除去用グリッドを提供する。【解決手段】散乱Ｘ線除去用グリッド周辺部にフレーム加工を施しさらにバネを装着することにより、Ｘ線用カセッテをフレーム内に挿入した際に固定し、散乱Ｘ線除去用グリッドとＸ線用カセッテを一体化して診断用Ｘ線画像撮影の際の位置決めを容易にする。診断用Ｘ線画像撮影の際に特別な器具を用いることなく、散乱Ｘ線除去用グリッドとＸ線用カセッテのずれによる位置決めの困難さを排除し、再撮影を防止することが可能である。【選択図】図１
0003144661.tif 000002
【実用新案登録請求の範囲】
【請求項１】
Ｘ線用カセッテを固定する為のバネ付フレーム加工を施した散乱Ｘ線除去用グリッド。
【考案の詳細な説明】
【技術分野】
【０００１】本考案は、散乱Ｘ線除去用グリッドに関し、ベッド上、車椅子上等で正確な診断用Ｘ線画像撮影が容易に可能な散乱Ｘ線除去用グリッドに関する。
【背景技術】
【０００２】従来、ＪＩＳ  Ｚ４９１０−２０００に準ずる散乱Ｘ線除去用グリッドで、ベッド上、車椅子上で診断用Ｘ線画像撮影を行っていた。
【考案の開示】
【考案が解決しようとする課題】
【０００３】上述の散乱Ｘ線除去用グリッドを用いて診断用Ｘ線画像撮影を行う場合、Ｘ線用カセッテ上で散乱Ｘ線除去用グリッドがずれてしまうために位置決めが困難であり、撮影に時間がかかる、更には再撮影が必要になる場合がある。【０００４】本考案は、上述の不都合を解消しようとするもので、位置決めを容易にし、より短時間で正確な診断用Ｘ線画像撮影を行うことが可能な散乱Ｘ線除去用グリッドを提供しようとするものである。
【課題を解決するための手段】
【０００５】本願の請求項１に係る考案は、散乱Ｘ線除去用グリッド周辺部にフレーム加工を施しさらにバネを装着することにより、Ｘ線用カセッテをフレーム内に挿入した際に固定し、散乱Ｘ線除去用グリッドとＸ線用カセッテを一体化して診断用Ｘ線画像撮影の際の位置決めを容易にする
【考案の効果】
【０００６】診断用Ｘ線画像撮影の際に特別な器具を用いることなく、本考案の装置を用いることで、散乱Ｘ線除去用グリッドとＸ線用カセッテのずれによる位置決めの困難さを排除し、再撮影を防止することが可能である。
【考案を実施するための最良の形態】
【０００７】本考案の実施形態を、図面を用いて詳細に説明する。図１本考案の裏面斜視図であり、図２はその外観斜視図である。Ｘ線用カセッテ４に本考案を被せる。散乱Ｘ線除去用グリッド本体２の周辺部に装備された、バネ３を装着したフレーム１がＸ線用カセッテ４を保持することが可能であり、撮影時にずれが生じない。【００８】以上本考案の実施例を示したが、本考案とＸ線用カセッテの固定するバネの形状は、図１で示した形状のみに限られるものではない。
【図面の簡単な説明】
【図１】バネ付フレーム加工散乱Ｘ線除去用グリッドの裏面斜視図である。
【図２】バネ付フレーム加工散乱Ｘ線除去用グリッドの外観斜視図である。
【符号の説明】
１フレーム
２散乱Ｘ線除去用グリッド本体
３バネ
４Ｘ線用カセッテ
【図１】
0003144661.tif 000003
【図２】
0003144661.tif 000004
【手続補正書】
【提出日】平成20年6月10日(2008.6.10)
【手続補正１】
【補正対象書類名】実用新案登録請求の範囲
【補正対象項目名】全文
【補正方法】変更
【補正の内容】
【実用新案登録請求の範囲】
【請求項１】
散乱Ｘ線除去用グリッドの周辺部にフレームを装着し、フレームの内側の一辺にバネを装着した散乱Ｘ線除去用グリッド。
(57)【要約】      （修正有）【課題】１本で２つの効果を持ち、効率よく歯を磨くことができる歯ブラシを提供する。【解決手段】従来、片方にしか付いていなっかったブラシを、両サイドに付け、しかも、硬いブラシとやわらかなブラシ、大きめのブラシと小さなブラシ、表面を磨くブラシと隙間用のブラシなど異なる機能をもつブラシをつける。【選択図】図１
0003144664.tif 000002
【実用新案登録請求の範囲】
【請求項１】
柄の両サイドに、異なる機能を有するブラシがそれぞれに、ついている歯ブラシ。
【考案の詳細な説明】
【考案の開示】
【考案が解決しようとする課題】
【０００１】１本の歯ブラシで歯磨きをしても、一つの機能しかないブラシでは奥歯、前歯、歯茎、隙間をきれいにするのは、難しい。
【課題を解決するための手段】
【０００２】１本の柄の両端に、それぞれ別の機能を持つブラシをつける。
【考案の効果】
【０００３】１本で、２つの効果を持つ歯ブラシを使えるため、効率よく歯を磨くことができるようになる。
【図面の簡単な説明】
【図１】２ＷＡＹＳ  歯ブラシのみを示す平面図である。
【図２】２ＷＡＹＳ  歯ブラシを手に持っているのを示す平面図である。
【図１】
0003144664.tif 000003
【図２】
0003144664.tif 000004
【手続補正書】
【提出日】平成20年6月9日(2008.6.9)
【手続補正１】
【補正対象書類名】実用新案登録請求の範囲
【補正対象項目名】全文
【補正方法】変更
【補正の内容】
【実用新案登録請求の範囲】
【請求項１】
硬いブラシとやわらかなブラシ、大きめのブラシと小さなブラシ、表面を磨くブラシと隙間用のブラシなどと、別々の働きをするブラシが柄の両サイドにそれぞれ付いている歯ブラシ。
(57)【要約】      （修正有）【課題】長時間椅子に座ることによる、運動不足や肥満等を解消するための椅子用ダイエットクッションを提供する。【解決手段】クッションに板を取り付け土台として、椅子座面の先端の角に押し当て設置すると、クッションが傾くことにより、座る体勢を維持するため、足や腰で踏ん張り、筋力を使うことでカロリーを消費させる。土台の素材はプラスチックや木材や金属などで、形状は円形やだ円形や四角形などでよい。【選択図】図１
0003144670.tif 000002
【実用新案登録請求の範囲】
【請求項１】
硬度ある板を土台とし、クッションの裏面に、取り付け組み合わせた椅子用クッション。
【請求項２】
高低差のある段を設けた硬度ある板を土台とし、クッションの裏面に、取り付け組み合わせた椅子用クッション。
【請求項３】
半円柱の段差を設けた硬度ある板を土台とし、クッションの裏面に、取り付け組み合わせた椅子用クッション。
【考案の詳細な説明】
【技術分野】
【０００１】  本考案は、椅子用クッションに関するものであり、椅子の先端部分にバランスをとりながら座ることによるダイエット効果を目的とし、当該部分に無理なく座れるように、クッションの形状に工夫を加えた。
【背景技術】
【０００２】  従来のクッションでは、保温性や座り心地など尻部の保護を目的としていた。
【考案の開示】
【考案が解決しようとする課題】
【０００３】  長時間椅子に座っていると、あまり筋力を使わないために運動不足や肥満になりやすい。
【課題を解決するための手段】
【０００４】  この課題を解決するための請求項１の考案は、椅子座面先端の角部分に考案したクッションの土台（図１）の底面を押し付けて座ると、考案したクッションが、バランスよく傾き座る体勢を維持するために、足や腰で踏ん張ることが必要になり筋力を使う。【０００５】  また、請求項２での考案は土台に高低差のある段（図４）が、考案したクッションの傾きが大きくなると、段の凹凸により、ずり落ち防止になる。【０００６】  また、請求項３での考案は土台に半円柱の段差（図７）を設けることにより、考案したクッションの傾きが大きくなると、段差の凹凸により、ずり落ち防止になり、半円柱の中心が重心となり、より安定したバランスを保ち長時間の使用が可能になる。
【考案の効果】
【０００７】  よって考案したクッションは、座る体勢を維持しながら傾いて座っている状態のため、背筋や腹筋や足の筋肉などの筋力を使い、カロリ−を消費させダイエット効果が期待できる。
【考案を実施するための最良の形態】
【０００８】  図１，２，３は、板を土台１としクッション４の裏面に取り付け組み合わせ、椅子の先端に図３のように押し当て取り付け、バランスをとるため筋力を使いながら座ることが出来る。【０００９】  図４，５，６は、板に高低差のある段を設けることにより、考案したクッションの傾き角度が、大きくなると段の凹凸により、ずり落ち防止にもなる。そのような板を土台２にしたことを特徴とし、クッション４の裏面に取り付け組み合わせ、椅子の先端に図６のように押し当て取り付け、バランスをとるため筋力を使いながら座ることが出来る。段の位置や高さや大きさは、考案クッションの形状やバランスによって決める。【００１０】  図７，８，９は、半円柱の段差を設けることにより、考案したクッションの傾き角度が大きくなると、段差の凹凸のため、ずり落ち防止にもなり、半円柱の中心が対称となり、より安定したバランスがとれる。そのような板を土台３にしたことを特徴とし、クッション４の裏面に取り付け組み合わせ、椅子の先端に図９のように押し当て取り付け、バランスをとるため、筋力を使いながら座ることが出来る。半円柱の段差の位置や高さや大きさは、考案クッションの形状やバランスによって決める。【００１１】  土台１，２，３の素材はプラスチックや木材や金属などで、形状は円形やだ円形や四角形などでよい。考案したクッションの大きさは、尻部がはみ出ない程度でよい。
【図面の簡単な説明】
【００１２】
【図１】土台をつけたクッションの上部立体図である。
【図２】土台をつけたクッションの断面図である。
【図３】土台をつけたクッションの使用側部図である。
【図４】土台に段を設けたクッションの上部立体図である。
【図５】土台に段を設けたクッションの断面図である。
【図６】土台に段を設けたクッションの使用側部図である。
【図７】土台に半円柱の段差を設けたクッションの上部立体図である。
【図８】土台に半円柱の段差を設けたクッションの断面図である。
【図９】土台に半円柱の段差を設けたクッションの使用側部図である。
【符号の説明】
【００１３】１          板の土台
２          高低差のある段を設けた板の土台
３          半円柱の段差を設けた板の土台
４          クッション
【図１】
0003144670.tif 000003
【図２】
0003144670.tif 000004
【図３】
0003144670.tif 000005
【図４】
0003144670.tif 000006
【図５】
0003144670.tif 000007
【図６】
0003144670.tif 000008
【図７】
0003144670.tif 000009
【図８】
0003144670.tif 000010
【図９】
0003144670.tif 000011
(57)【要約】      （修正有）【課題】活動靴の土踏まず領域への刺し抜きを防止し、ＪＩＳ規格の踏み抜き強度を上回りながらも、通常の靴のような歩行を可能とする活動靴を提供する。【解決手段】靴底１からはみ出している部分ａを刺し抜きや踏み抜きの危険から守るため、可動性を有する刺し抜き防止版５を靴の内側土踏まず領域に内基材と外基材の間もしくは外基材に埋め込む形で配置する。また、外底３と中底４との間の踏み抜き防止版２との関連性を考慮し隙間無く配置する。この踏み抜き防止版２と刺し抜き防止版５が分離している事が最大の特徴でこの事が可動性を生む要因となり、通常の靴のような歩行を可能にする。【選択図】図２
0003144665.tif 000002
【実用新案登録請求の範囲】
【請求項１】
消防・警察活動靴において、靴内側土踏まず領域に刺し抜き防止板を活動靴の内基材と外基材の間もしくは外基材に埋め込む形で配置し、刺し抜き防止加工部に可動領域を持たせることを特徴とする活動靴。
【考案の詳細な説明】
【技術分野】
【０００１】  消防・警察活動靴における刺し抜き防止活動靴に関するものである。
【背景技術】
【０００２】  従来の活動靴における踏み抜き防止板はＪＩＳ規格Ｔ８１０１等で規定されている。しかし、これではまだ不十分でありこの踏み抜き防止板を靴底に配しているが、土踏まず領域は、靴底からはみ出しているため踏み抜きや刺し抜いてしまう。土踏まずの上部位までカバーするために靴底を大きくしてしまうと人間の通常の歩行形態が取れないことで転倒などの危険が伴う。従来の活動靴の土踏まず領域への刺し抜きの危険が指摘されていた。【０００３】  従来では、耐踏み抜き防止靴として、特開平０８−３２２６０５号公報（特許文献１参照）で示されている踏み抜き防止板の使用などが提案されている。【０００４】  しかしながら、特許文献１の踏み抜き保護装置を靴底の輪郭に合わせた形状で土踏まず領域を上方向に折り曲げた状態であるため歩行や走行の際、着地時点で足底部の広がりや屈曲が行われるため、保護装置自体が障害となる欠点があった。
【考察の開示】
【考察が解決しようとする課題】
【０００５】  解決しようとする問題点は、活動靴の土踏まず領域への刺し抜きを防止し、ＪＩＳ規格の踏み抜き強度を上回りながらも、通常の靴のような歩行を可能にする点である。
【課題を解決するための手段】
【０００６】  本考察は、上記事情を鑑みてなされたものであり、従来の安全靴等の土踏まず領域への刺し抜きや踏み抜きの危険が指摘されていたことを解決する。可動性を有する刺し抜き防止板を靴の内側面土踏まず領域に内基材と外基材の間もしくは外基材に埋め込む形で配置することで可動性を持つ耐刺し抜き防止活動靴とすることを提案する。
【０００７】  土踏まず領域に沿って靴底からはみ出している部分に可動性を有する踏み抜き防止板を配する。板の形状は土踏まず領域に沿った形状とすることで、通常の靴のような歩行を可能にする。
【考察の効果】
【０００８】  従来の活動靴では解決できなかった、靴底からはみ出している部分、土踏まず領域への刺し抜きや踏み抜きを防止し、ＪＩＳ規格の踏み抜き強度を上回りながらも、通常の靴のような歩行を可能にすることで、災害現場での踏み抜きや山や瓦礫等の活動において枝による刺し抜きの危険性を防御できる。
【考案を実施するための最良の形態】
【０００９】  以下、本考案の実施形態について図面を参照しながら説明する。【００１０】  図１は、通常使用されている踏み抜き防止板とした安全靴等の靴底から見た構造図であるが、靴底（１）からはみ出している部分（ａ）に、土踏まず領域への刺し抜きや踏み抜きの危険性を示した平面図である。【００１１】  図２は、通常使用されている踏み抜き防止板（２）とした安全靴等の右足側部から見た構造図であるが、図１の靴底（１）からはみ出している部分（ａ）を刺し抜きや踏み抜きの危険から守るため、可動性を有する刺し抜き防止板（５）を靴の内側土踏まず領域に内基材と外基材の間もしくは外基材に埋め込む形で配置する。また、外底（３）と中底（４）との間の踏み抜き防止板（２）との関連性を考慮し隙間無く配置する。この踏み抜き防止板（２）と刺し抜き防止板（５）が分離している事が最大の特徴でこの事が可動性を生む要因となり、通常の靴のような歩行を可能にする。
【考案を実施するための最良の形態】
【００１２】  図３は、請求項１記載の土踏まず形状に沿って靴底からはみ出している部分（ａ）に可動性を有する刺し抜き防止板（５）を靴の内足土踏まず領域に内基材（６）と外基材（７）の間もしくは外基材（７）に埋め込む形で配置することを示す。内基材・外基材の材質としては、皮・合皮・ナイロン・テトロン・布など、要求される安全強度を満たす物で有れば特定されることはない。刺し抜き防止板（５）は、ＪＩＳ規格の踏み抜き強度を上回る材質としてステンレス、鉄、アルミニウム、ＦＲＰなど、要求される踏み抜き強度を満たす物で有れば特定されることはない。【００１３】  図４は、刺し抜き防止板（５）で、板の形状は土踏まず領域に沿った形状とし運動障害を起こさない程度の大きさで配置する。【００１４】  図５は、請求項１記載の刺し抜き防止板の配置拡大図であり、刺し抜き防止板（５）および踏み抜き防止板（２）はそれぞれ組み込まれた状態にある。図５ように配置とすることで、（８）のような可動性を生み通常の靴のような歩行を可能にする。また、土踏まずから内側上部に沿った部位の刺し抜きや踏み抜きの危険防止効果をもたらす。
【産業上の利用可能性】
【００１５】  本考察は、活動靴の刺し抜き防止板の構造要素によれば、土踏まず領域に沿った部位の刺し抜きや踏み抜きの危険防止効果をもたらすことで、登山靴・運動靴・ダイバーシューズなど安全性を求める分野において幅広く応用することができるものである。したがって、本考察にかかる産業上の利用可能性は、極めて高いものと解される。
【図面の簡単な説明】
【００１６】
【図１】靴底面から見たことを示す平面図である。
【図２】活動靴の右足側部から見た構造図である。
【図３】刺し抜き防止板の断面見取り図である。
【図４】刺し抜き防止板の形状である。
【図５】刺し抜き防止板の配置拡大見取り図である。
【符号の説明】
【００１７】  （ａ）  靴底からはみ出している部分
（１）  従来の活動靴の靴底
（２）  踏み抜き防止板
（３）  外底
（４）  中底
（５）  刺し抜き防止板
（６）  内基材
（７）  外基材
（８）  可動領域
【図１】
0003144665.tif 000003
【図２】
0003144665.tif 000004
【図３】
0003144665.tif 000005
【図４】
0003144665.tif 000006
【図５】
0003144665.tif 000007
(57)【要約】      （修正有）【課題】診断用Ｘ線画像撮影の際や、医療従事者が運搬する際の衝撃や損傷から、端部や四隅を保護することの可能な散乱Ｘ線除去用グリッドを提供する。【解決手段】散乱Ｘ線除去用グリッド２にフレーム１を施すことにより、その周辺部を衝撃から保護する。診断用Ｘ線画像撮影や運搬の際に、散乱Ｘ線除去用グリッド２の端部または四隅に負荷がかかった場合でも、散乱Ｘ線除去用グリッド２本体への損傷を避けることが可能である。【選択図】図２
0003144689.tif 000002
【実用新案登録請求の範囲】
【請求項１】
散乱Ｘ線除去用グリッドの端部、四隅を保護するためのフレームを周辺部に装着した散乱Ｘ線除去用グリッド。
【考案の詳細な説明】
【技術分野】
【０００１】本考案は、散乱Ｘ線除去用グリッドに関し、端部や四隅の強度がより高い散乱Ｘ線除去用グリッドに関する。
【背景技術】
【０００２】従来、ＪＩＳ  Ｚ４９１０−２０００に準ずる散乱Ｘ線除去用グリッドで、診断用Ｘ線画像撮影を行っていた。
【考案の開示】
【考案が解決しようとする課題】
【０００３】上述の散乱Ｘ線除去用グリッドを用いる場合、診断用Ｘ線画像撮影や医療従事者が運搬する際、落下などの衝撃を受けた場合に、散乱Ｘ線除去用グリッドの周辺部が破損し、患者や医療従事者の怪我につながる、もしくはＸ線画像に影響を及ぼす散乱Ｘ線除去用グリッド内部の損傷につながることがある。【０００４】本考案は、上述の不都合を解消しようとするもので、端部、四隅がより高い強度を有している散乱Ｘ線除去用グリッドを提供しようとするものである。
【課題を解決するための手段】
【０００５】本願の請求項１に係る考案は、散乱Ｘ線除去用グリッド周辺部にフレームを装着することにより、散乱Ｘ線除去用グリッドの端部、四隅を衝撃から保護する。
【考案の効果】
【０００６】本考案を用いることで、診断用Ｘ線画像撮影や運搬の際に、散乱Ｘ線除去用グリッドの端部または四隅に負荷がかかった場合でも、散乱Ｘ線除去用グリッド本体への損傷を避けることが可能である。
【考案を実施するための最良の形態】
【０００７】本考案の実施形態を、図面を用いて詳細に説明する。図１は本考案の断面図であり、図２はその外観斜視図である。散乱Ｘ線除去用グリッド２にフレーム１を施すことで、グリッドの端部、四隅を衝撃から保護し、さらにねじれ等の力に対する強度も向上させる。
【図面の簡単な説明】
【図１】フレーム付き散乱Ｘ線除去用グリッドの断面図である。
【図２】フレーム付き散乱Ｘ線除去用グリッドの外観斜視図である。
【符号の説明】
１フレーム
２散乱Ｘ線除去用グリッド本体
【図１】
0003144689.tif 000003
【図２】
0003144689.tif 000004
(57)【要約】      （修正有）【課題】換気扇本体に熱吸引機の穴を取り付ける事により、本来必要な壁の穴あけ工事を省く事ができ経済負担をへらす事ができる換気扇を提供する。【解決手段】換気扇本体に穴４をあけさらにゴムストッパー３でホースを安定させる。穴４からホースを入れる事によりプロペラの裏側から通す事ができる、さらにレール２でプロペラの安定性がよりいっそう増す。また、室内にある、換気扇に穴があいている事により、吸引機で吸う熱気を外に出すホースを経済的負担をへらしながら外に出す事ができる。【選択図】図１
0003144681.tif 000002
【実用新案登録請求の範囲】
【請求項１】
換気扇本体に熱風をとる機械にとり付けたホースを外に出すための穴とホースストッパーを設け、換気扇に厚みをもたせたところを特徴とするモータープロペラ５ヶ所止め排気横付きワイド換気扇
【考案の詳細な説明】
【技術分野】
【０００１】本考案は、換気扇横に排気ホース用の穴を設けた、換気扇に関する物である。
【背景技術】
【０００２】本来、図２の様な熱気をとる為の機械を用いる場合その熱気を外に出すためのホースを外に出す穴を作る工事をしなければならなかった。
【考案の開示】
【考案が解決しようとする課題】
【０００３】本来この熱気をとる機械を用いる場合、工事をして穴をあけなければならなかったが、工事をするとなると、時間的、経済的にも負担が生じる、従って室内にはほぼ設置されている換気孔を使える、それ専用の穴がついている換気扇を作る事によって工事が不要になる上この熱気をとる機械と一緒に需要がまし、室温を上がる事を防ぎ、環境問題の改善にも繋がっていく物となる。
【課題を解決するための手段】
【０００４】本考案は、換気扇に大きな厚みを持たせ、側面部に穴をあけプロペラの裏部分から、ホースを出す物である。その際にホースが動かない様安定性をもたせる為に穴の入り口部分にズレ防止用のゴムを周囲につける、その上、５本のレールで固定する事により、より安定性をもたす事ができる。
【考案の効果】
【０００５】室内にある、換気扇に穴があいている事により、吸引機で吸う熱気を外に出すホースを経済的負担をへらしながら外に出す事ができる
【考案の実施するための最良の形態】
【０００６】１０ｃｍほどの厚みがある換気扇に四方いずれか１、２ヶ所半径５ｃｍほどの穴をあけ、穴をあけることにより安定しなくなったプロペラモーターを５ヶ所のレールで個定する事により安定性をもたす事ができ換気扇にあつみがあるので換気扇のプロペラの裏からホースを通す事ができホースがプロペラにからまる事がない。
【実施例】
【０００７】以下、添付図面に従って一実施例を説明する。
１は、換気扇のプロペラを安定させるレールに付属するプロペラモーター
２は、換気扇のプロペラを安定させるレール。
３は、熱の吸引機から出るホースを外に出すための穴の周りに付着させるゴムストッパー
４は、ホースを外に出すための穴。
５は、ホース
【図面の簡単な説明】
【０００８】
【図１】本考案のモータープロペラ５ヶ所止め排気構付きワイド換気扇の正面図
【図２】熱を吸いとる吸引機
【符号の説明】
【０００９】１、モータープロペラ
２、プロペラを安定させるレール
３、ホースを安定させるゴム
４、ホースを出す穴
５、ホース
【図１】
0003144681.tif 000003
【図２】
0003144681.tif 000004
(57)【要約】      （修正有）【課題】地球環境に優しく、使用が極めて便利で、臼歯の隙間に挟まれる食べ物の残りかすを容易に除去できる歯隙間清潔道具を提供する。【解決手段】コ字形を呈し、その開放側の両端の間に糸１１が張設されており、左右側の外壁面にピン１２が設けられているデンタルフロス台１と、前端が分岐状を呈し分岐された部分がロッド形状を呈する組付け段２２に形成されている握り部２１を有し、前記組付け段の内側壁面にホゾが開設されており、前記デンタルフロス台のピンが前記ホゾに挿入可能である取っ手と、を含む。【選択図】図４
0003144628.tif 000002
【実用新案登録請求の範囲】
【請求項１】
コ字形を呈し、その開放側の両端の間に糸が張設されており、左右側の外壁面にピンが設けられているデンタルフロス台と、
前端が分岐状を呈し分岐された部分がロッド形状を呈する組付け段に形成されている握り部を有し、前記組付け段の内側壁面にホゾが開設されており、前記デンタルフロス台のピンが前記ホゾに挿入可能である取っ手と、を含むことを特徴とする
歯隙間清潔道具。
【請求項２】
コ字形を呈し、その開放側の両端の間に糸が張設されているデンタルフロス台と、
前端が分岐状を呈し分岐された部分がロッド形状を呈する組付け段に形成されている握り部を有し、前記組付け段の内側壁面に係り溝が開設されており、前記デンタルフロス台が前記係り溝に挿入可能である取っ手と、を含むことを特徴とする
歯隙間清潔道具。
【考案の詳細な説明】
【技術分野】
【０００１】
本考案は、資源を無駄にしなく、地球環境に優しく、使用が極めて便利である歯隙間清潔道具に関するものである。
【背景技術】
【０００２】
口腔の保健がどんどん国民に重視されている。従来、歯を清潔する道具は歯ブラシだけある。しかし、歯ブラシだけを使用すると、歯の隙間に挟まれる食べ物の残りかすを確実に除去することができない。だから、爪楊枝が開発されて使用されるようになった。しかし、爪楊枝が口腔の奥まで届くことができないので、臼歯の隙間に挟まれる食べ物の残りかすを確実に除去することができない。その後、Ｐ字形を呈するデンタルフロス棒が開発されて使用されるようになった。このデンタルフロス棒は、後端が爪楊枝として使用可能であり、前端がデンタルフロスとして使用可能である。しかし、使用されたデンタルフロス棒は全体に廃棄することが必要であるので、資源が無駄にされ、そしてデンタルフロス棒によれば、臼歯の隙間に挟まれる食べ物の残りかすを容易に除去することもできない。
【考案の開示】
【考案が解決しようとする課題】
【０００３】
本考案の主な目的は、資源を無駄にしなく、地球環境に優しく、使用が極めて便利である歯隙間清潔道具を提供することにある。
本考案の次の目的は、臼歯の隙間に挟まれる食べ物の残りかすを容易に除去することができる歯隙間清潔道具を提供することにある。
【課題を解決するための手段】
【０００４】
本考案の請求項１に記載の歯隙間清潔道具によると、コ字形を呈し、その開放側の両端の間に糸が張設されており、左右側の外壁面にピンが設けられているデンタルフロス台と、
前端が分岐状を呈し分岐された部分がロッド形状を呈する組付け段に形成されている握り部を有し、前記組付け段の内側壁面にホゾが開設されており、前記デンタルフロス台のピンが前記ホゾに挿入可能である取っ手と、を含むことを特徴とする歯隙間清潔道具である。
【０００５】
本考案の請求項２に記載の歯隙間清潔道具によると、コ字形を呈し、その開放側の両端の間に糸が張設されているデンタルフロス台と、
前端が分岐状を呈し分岐された部分がロッド形状を呈する組付け段に形成されている握り部を有し、前記組付け段の内側壁面に係り溝が開設されており、前記デンタルフロス台が前記係り溝に挿入可能である取っ手と、を含むことを特徴とする歯隙間清潔道具である。
【考案の効果】
【０００６】
本考案の歯隙間清潔道具によれば、資源を無駄にしなく、地球環境に優しく、使用が極めて便利であり、そして臼歯の隙間に挟まれる食べ物の残りかすを容易に除去することができるという効果を有する。
【考案を実施するための最良の形態】
【０００７】
以下、本考案の実施の形態を図面に基づいて説明する。
（実施例１）
まず、図１を参照する。図１は本考案の実施例１に係る歯隙間清潔道具の分解斜視図である。本考案の実施例１に係る歯隙間清潔道具は、デンタルフロス台１と、取っ手２と、を含む。
デンタルフロス台１は、コ字形を呈し、その開放側の両端の間に糸１１が張設されており、左右側の外壁面にピン１２が設けられている。
【０００８】
取っ手２は、前端が分岐状を呈し分岐された部分がロッド形状を呈する組付け段２２に形成されている握り部２１を有し、組付け段２２の内側壁面にホゾ２３が開設されており、デンタルフロス台１のピン１２がホゾ２３に挿入可能である。
次に、図２及び図３を参照しながら本考案の組付方法を説明する。取っ手２に開設されたホゾ２３に、デンタルフロス台１に設けられたピン１２を合せて嵌め込むと、デンタルフロス台１が取っ手２の前端に固定される。
【０００９】
（実施例２）
次に、図４及び図５を参照する。図４は本考案の実施例２に係る歯隙間清潔道具の分解斜視図であり、図５は本考案の実施例２に係る歯隙間清潔道具の組合せ状態を示す概略図である。本実施例と実施例１の相違する点は、取っ手２の組付け段２２の内側壁面には、ホゾ２３の代りに係り溝２４が開設されており、取っ手２に開設された係り溝２４にデンタルフロス台１を脱着自在に挿入することができる。
【００１０】
また、本考案に係る歯隙間清潔道具は、更に、取っ手２の握り部２１とデンタルフロス台１の開角が１２０度にされ、これにより、取っ手２の組付け段２２に組み付けられたデンタルフロス台１の糸１１と握り部２１が互いに平行しなくなる。
【図面の簡単な説明】
【００１１】
【図１】本考案の実施例１に係る歯隙間清潔道具の分解斜視図である。
【図２】本考案の実施例１に係る歯隙間清潔道具の組合せ状態を示す概略図である。
【図３】本考案の実施例１に係る歯隙間清潔道具の組合せ状態の別の視点から見た概略図である。
【図４】本考案の実施例２に係る歯隙間清潔道具の分解斜視図である。
【図５】本考案の実施例２に係る歯隙間清潔道具の組合せ状態を示す概略図である。
【符号の説明】
【００１２】
１：デンタルフロス台、２：取っ手、１１：糸、１２：ピン、２１：握り部、
２２：組付け段、２３：ホゾ、２４：係り溝。
【図１】
0003144628.tif 000003
【図２】
0003144628.tif 000004
【図３】
0003144628.tif 000005
【図４】
0003144628.tif 000006
【図５】
0003144628.tif 000007
(57)【要約】      （修正有） 【課題】人の体にある種々のつぼに当ててつぼ治療するのに適したつぼ当て治療具を提供する。【解決手段】一対のアーム１，１を平行して設け、それぞれの基端部３，３を該アーム１，１が１８０角度程開閉可能となるように軸支持４，４してあり、それぞれのアーム１，１の先端または近傍につぼ当て用突起部５，５または６，６を設けてなるものである。前記つぼ当て用突起部を人の種々のつぼ当てで押すことによりつぼ治療が行える。【選択図】図１
0003144611.tif 000002
【実用新案登録請求の範囲】
【請求項１】
一対のアームを平行して設け、それぞれの基端部を該アームが１８０角度程開閉可能となるように軸支持してあり、それぞれのアームの先端または近傍につぼ当て用突起部を設けてなるつぼ当て治療具。
【請求項２】
それぞれのアームの先端外側につぼ当て用突起部を設け、このつぼ当て用突起部が、それぞれのアームを１８０角度程転回してアームの内側に一対の対向する「合谷」用のつぼ当て用突起部となる上記請求項１に記載のつぼ当て治療具。
【請求項３】
上記それぞれのアームの先端に先方に向けて突出するつぼ当て用突起を設けてなる上記請求項１または２に記載のつぼ当て治療具。  
【請求項４】
上記アームをチタン製とし、上記つぼ当て用突起部を金メッキしてある上記請求項１ないし３の何れかに記載のつぼ当て治療具。
【請求項５】
上記アームの長さを６〜１０ｃｍ程にしてある上記請求項１ないし４の何れかに記載のつぼ当て治療具。
【考案の詳細な説明】
【技術分野】
【０００１】
本考案は、人の顔の鼻の両横にあるつぼ「迎香」、鼻の下にあるつぼ「人中」、目の上にあるつぼ「清明」、特に人の手の親指と一指し指の間にあるつぼ「合谷」、その他のつぼに当ててつぼ治療するのに適するつぼ当て治療具に関する。
【背景技術】
【０００２】
人の顔の鼻の両横にあるつぼ「迎香」は、ここを押すと鼻づまり現象がなくなったり、臭覚麻痺症状の改善効果があったりするし、また、鼻の下にあるつぼ「人中」は、ここを押すとホルモンの分泌がよくなったり、内臓系の不調をなくしたりあるいはくしゃみ改善の効果があることが知られている。
このつぼ「迎香」及び「人中」のつぼ治療は、過去には治療する人がその手指で押して行っていた。
考案者は、これらのつぼ治療に適するつぼ当て治療具を考案し、提案して、実用新案登録公報により公知になっている（特許文献１参照）。
【０００３】
【特許文献１】登録実用新案第３１３５７５７号公報
【考案の開示】
【考案が解決しようとする課題】
【０００４】
本考案は、つぼ「迎香」及び「人中」だけでなく、特に、肩こり、歯痛等の改善効果のあるつぼ「合谷」の治療にも適する新規なつぼ当て治療具を提供するものである。
【課題を解決するための手段】
【０００５】
そのために、本考案つぼ当て治療具は、一対のアームを平行して設け、それぞれの基端部を該アームが１８０角度程開閉可能となるように軸支持してあり、それぞれのアームの先端または近傍につぼ当て用突起部を設けてなるものである。
また、本考案つぼ当て治療具は、それぞれのアームの先端外側につぼ当て用突起部を設け、このつぼ当て用突起部が、それぞれのアームを１８０角度程転回してアームの内側に一対の対向する「合谷」用のつぼ当て用突起部となるものである。
さらに、上記それぞれのアームの先端に先方に向けて突出するつぼ当て用突起を設けてなるものである。  
上記アームをチタン製とし、上記つぼ当て用突起部を金メッキしてあると好ましい。
上記アームの長さを６〜１０ｃｍ程にしてある。
【考案の効果】
【０００６】
本考案のつぼ当て治療具は、一対のアームを平行して設け、それぞれの基端部を該アームが１８０角度程開閉可能となるように軸支持してあり、それぞれのアームの先端または近傍につぼ当て用突起部を設けてなるものであるから、それぞれのつぼ当て用突起部を人の種々のつぼに当てて押すことにより、簡単な治療具を使用してつぼ治療が行える効果がある。
【０００７】
また、本考案のつぼ当て治療具は、それぞれのアームの先端外側につぼ当て用突起部を設け、このつぼ当て用突起部が、それぞれのアームを１８０角度程転回してアームの内側に一対の対向する「合谷」用のつぼ当て用突起部となるものであるから、人の手のつぼ「合谷」に当てて挟圧することにより、「合谷」のつぼ治療を行うことができる効果がある。
上記アームをチタン製とし、上記つぼ当て用突起部を金メッキしてあるから、治療具を軽量にし、導電性をよくし、金属アレルギー予防の治療効果をあげる利点がある。
さらに、上記アームの長さを６〜１０ｃｍ程にしてあるから、治療具を操作し易い長さにした効果がある。
【考案を実施するための最良の形態】
【０００８】
図面に示した実施例により本考案つぼ当て治療具を説明する。
図中符号１，１が一対のチタン製のアームで、その長さは６〜１０ｃｍ程であり、好ましくは７ｃｍ程にするとよい。このアーム１，１はそれぞれの基端部をこのアーム１が１８０角度程開閉可能となるよう軸支持してある。
そのために、図示した実施例では、それぞれのアーム１，１の基端部３の厚みを狭くして、この基端部３を一対の対向する支持板２，２間に設けた軸４，４に軸支持してある。
このそれぞれのアーム１，１の先端をアームの先方に突出する形状のつぼ当て用突起部５，５に形成してあり、さらに、それぞれのアーム１，１の先端近傍の外側につぼ当て用突起部６，６を設けてある。しかも、このつぼ当て用突起部５，５及び６，６を金メッキしてある。
【０００９】
このように構成した本考案つぼ当て治療具を用いれば、次のようなつぼ治療ができる。例えば、一対のアーム１，１を閉じた状態でつぼ当て用突起部５をつぼ「人中」その他のつぼに当てて押すことによりつぼ治療ができる。また一対のアーム１，１を開いた状態にして、その１本のアーム１の先端のつぼ当て用突起５をつぼ「人中」その他のつぼに当てて押すことによりつぼ治療ができる。
また、この一対のアーム１，１を僅かに開いて、その先端のつぼ当て用突起部５，５をつぼ「迎香」に当るように調節し、つぼ当て用突起部３，３をつぼ「迎香」に当てて押すことにより、つぼ「迎香」のつぼ治療をすることができる。
【００１０】
さらに、本考案つぼ当て治療具を、それぞれのアーム１，１を１８０角度程転回して、図２に示すようにすれば、アーム１，１の先端近傍の外側に設けたつぼ当て用突起部６，６が対向する。従ってこの対抗するつぼ当て用突起部６，６を図３に示すように人の手のつぼ「合谷」にあてて、アーム１，１を挟むように動作すれば、つぼ当て用突起部６，６が、つぼ「合谷」を刺激し、つぼ治療を行うことができる。
【図面の簡単な説明】
【００１１】
【図１】本考案つぼ当て治療具を閉じた状態の斜面図。
【図２】同じくつぼ当て治療具をそれぞれのアームを１８０角度程転回した状態の斜面図。
【図３】本考案つぼ当て治療具を用いて人のつぼ「合谷」に当ててつぼ治療をする状態の斜面図。
【符号の説明】
【００１２】
１    アーム
２    支持板
３    基端部
４    軸
５，６  つぼ当て用突起部
【図１】
0003144611.tif 000003
【図２】
0003144611.tif 000004
【図３】
0003144611.tif 000005
(57)【要約】      （修正有）【課題】殺風景な鏡に和らぎと癒しを与える模様を付した図画鏡を提供する。【解決手段】透明板１と、透明板１の裏面に設けられる反射板２とからなり、被写体の映像は透明板１を通過して反射板２で反射されて被写体まで戻ってくるものである。なお、透明板１には、硝子、アクリル樹脂、金属があり、そのどれでもよいが、硬くて傷付き難い点で硝子がもっとも適する。模様３は、透明板１の裏面に印刷、シール貼り、刻印によって付す。この点で、模様３を透明板１の裏面に印刷する場合、裏面から見ると、左右逆のものにする必要がある。このように、透明板１の裏面に模様３を付すのは、模様２がぼけたりせずに鮮明に写るからであるが、同時に模様３が透明板１と反射板２とで保護されるから、損傷し難く、長持ちするからでもある。模様３の付し方の最適なものは、透明板１の裏面に直接印刷することであり、もちろん、着色も施される。【選択図】図１
0003144723.tif 000002
【実用新案登録請求の範囲】
【請求項１】
透明板と反射板とからなる鏡において、透明板の裏面であって写像の邪魔にならない隅、縁に表面から透視できる模様を付したことを特徴とする図画鏡。
【請求項２】
透明板が硝子板であり、模様が硝子板の裏面に印刷されたものである請求項１記載の図画鏡。
【考案の詳細な説明】
【技術分野】
【０００１】
本考案は、模様（図画）が描かれた図画鏡に関するものである。
【背景技術】
【０００２】
鏡は、洗面所、壁等あらゆる場所に嵌込み、掛け吊るしの状態で取り付けられているが、従来の鏡は鏡面だけであり（贈呈者等の名前が印刷されたものもあるが）、非常に殺風景であった。また、手に持つ手鏡でも同様であった。このため、下記特許文献１には、表面から透視可能な模様を付したものが提案されている。しかし、この先行例のものは、透明板の裏面に凹所を設けて模様を形成し、更にその裏面に着色を施す等、構造が複雑でコストの高いものになっていた。
【特許文献１】実開昭６２−６８６５７号公報
【考案の開示】
【考案が解決しようとする課題】
【０００３】
本考案は、このような課題を解決したものであり、構造が簡単で安価であり、写す者にとって和らぎ、癒しを与えることができる鏡を提供したものである。
【課題を解決するための手段】
【０００４】
以上の課題の下、本考案は、請求項１に記載した、透明板と反射板とからなる鏡において、透明板の裏面であって写像の邪魔にならない隅、縁に表面から透視できる模様を付したことを特徴とする図画鏡を提供するとともに、これにおいて、請求項２に記載した、透明板が硝子板であり、模様が硝子板の裏面に印刷されたものである手段を提供するものである。
【考案の効果】
【０００５】
請求項１の手段によれば、殺風景である鏡に和らぎ、癒しを与えるとともに、構造が簡単で安価であり、また、鏡本来の機能を損なわないものを提供できる。請求項２の手段によると、模様がより鮮明になるとともに、製作費もより安くなる。
【考案を実施するための最良の形態】
【０００６】
以下、本考案の実施の形態を図面を参照して説明する。図１はこの鏡の正面図、図２は断面図であるが、本考案に係る鏡は、透明板１と、透明板１の裏面に設けられる反射板２とからなり、被写体の映像は透明板１を通過して反射板２で反射されて被写体まで戻ってくるものである。なお、透明板１には、硝子、アクリル樹脂、金属があり、そのどれでもよいが、硬くて傷付き難い点で硝子がもっとも適する。また、反射機能を持つもの（反射板２）は表面部材（透明板１）の表面を鏡面仕上げして表面に設定されるものもあるが、本考案では、表面板１の裏面に反射板２を貼着するものが適する。
【０００７】
本考案では、この鏡に表面から透視できる模様３を付すのであるが、模様を付すのは透明板１の隅や縁といった写像の邪魔にならない個所である。模様３については、和らぎ、癒しを与える対象のものであれば何でもよく、具体的には、植物、動物、風景、人物といったものが考えられる。
【０００８】
模様３は、透明板１の裏面に印刷、シール貼り、刻印によって付す。この点で、模様３を透明板１の裏面に印刷する場合、裏面から見ると、左右逆のものにする必要がある。このように、透明板１の裏面に模様３を付すのは、模様２がぼけたりせずに鮮明に写るからであるが、同時に模様３が透明板１と反射板２とで保護されるから、損傷し難く、長持ちするからでもある。模様３の付し方の最適なものは、透明板１の裏面に直接印刷することであり、もちろん、着色も施される。また、この種の鏡はノベルティーとして使用される場合もあり、その場合は、提供者や贈呈者の名前４も付すことになるが、その場合も透明板１の裏面に印刷するのが適する。
【図面の簡単な説明】
【０００９】
【図１】本考案に係る鏡の正面図である。
【図２】本考案に係る鏡の断面図である。
【符号の説明】
【００１０】
１    透明板
２    反射板
３    模様
４    提供者等の名前
【図１】
0003144723.tif 000003
【図２】
0003144723.tif 000004